(57)【特許請求の範囲】
【請求項１】
屋根タイル５４を支持し隣接する屋根押縁間に伸長し該押縁によって支持されるウェザーストリップ１０であって、各ウェザーストリップ１０は使用時にその下端部分が隣接する下側の屋根押縁５０を越えて突出する程度の長さを有し、前記屋根タイル５４はそのへり縁部に沿って隣接する前記ウェザーストリップ１０により支持され、保持手段が各ウェザーストリップ１０を適所に保持するウェザーストリップにおいて、前記保持手段は、該ウェザーストリップ１０に取り付けられそのウェザーストリップ１０を適所に保持するステンレス鋼製のタイル保持クリップ３０を備え、前記タイル保持クリップ３０が実質的にＵ字形であって一対の脚部３４，３６を有し、前記各脚部が前記屋根タイル５４の下側端部を引っ掛けて留めるフック状部分４２を有し、耳部３８が各脚部３４，３６から横方向に伸長し、前記ウェザーストリップ１０が側面フランジ１４を側面の両側に有し、前記各側面フランジ１４内の開口４０がそれぞれの耳部３８を受け、前記タイル保持クリップ３０をロックすることにより前記ウェザーストリップ１０に前記タイル保持クリップ３０を固定することを特徴とするウェザーストリップ。
【請求項２】
下側に面した凹部２６を両側の前記側面フランジ１４上に有し、前記凹部２６がＺ字形をした前記下側の押縁５０の上面フランジ５２と係合するようになっている請求項１に記載のウェザーストリップ。
【請求項３】
隣接する前記屋根タイル５４のそれぞれの側面の下を密封する少なくとも２片の縦長のシーリング材２０，２４を有し請求項１−２のいずれか１つに記載のウェザーストリップ。
【請求項４】
前記ウェザーストリップ１０から水を流し出すのを助ける複数の縦長の溝１８を備え、請求項１−３のいずれか１つに記載のウェザーストリップ。
【請求項５】
前記屋根押縁が木製の場合、釘やねじによって前記ウェザーストリップ１０を前記下側の屋根押縁５０に固定するための側面タブを有し、また釘やねじによって前記ウェザーストリップ１０を隣接する上側の屋根押縁に固定するための上端タブ１６を有する請求項１に記載のウェザーストリップ。
【請求項６】
前記屋根押縁上に取り付けられる屋根タイル５４の保持手段であって、前記保持手段は弾力性のあるステンレス鋼線で作られた前記タイル保持クリップ３０からなり、前記タイル保持クリップ３０が実質的にＵ字形であって前記一対の伸長した脚部３４、３６を備え、前記伸長した各脚部３４、３６上で横方向に伸長する前記耳部３８が前記屋根タイル５４を支持するウェザーストリップ１０の前記側面フランジ１４にある前記開口４０と係合するようになっており、前記各脚部３４，３６の下側端部がフック状部分４２を備えて屋根タイル５４の下側端部と係合するようになっていることを特徴とする保持手段。
【請求項７】
前記屋根押縁上のタイル５４を支持するウェザーストリップ１０であって、該ウェザーストリップ１０は各々前記開口４０を有する前記側面フランジ１４を備え、前記保持手段はタイル保持クリップ３０からなり、該タイル保持クリップ３０は実質的にＵ字形であって伸長する前記脚部３４、３６と前記脚部３４、３６内に前記耳部３８とを備え、該耳部３８が前記開口４０に係合するようになっており、前記各脚部３４、３６はタイル５４の下側端部と係合するフック状部分４２で終わっていることを特徴とするウェザーストリップ。
【発明の詳細な説明】
【技術分野】
【０００１】
本発明は、タイル、さらに好ましくは平らな屋根板やタイルの屋根構造への固定および耐候性化に関する。
【０００２】
平型タイルに関して本発明の一部分が記載されているが、本発明はこれに制限されるものでないことを理解されたい。ここで使用される「タイル」という用語は、屋根瓦、スレート、木材、あるいは他の材料の屋根板、または任意の類似した屋根葺き材の意味に解釈される。
【背景技術】
【０００３】
平らな屋根板やタイルを屋根に固定する各種屋根葺き方式は従来技術において公知である。
たとえば、オーストラリア特許第６７２２８６号は、タイル屋根葺き方式を開示するが、この方式では離隔した平行接合ストリップが一対の隣接する押縁間に伸長し、各屋根板またはタイルがその対向するへり部に沿って一対の隣接する前記ストリップにより支持される。この特許明細書において、それぞれのタイルの下端部分が持ち上がらないように固定するため、ロック手段はストリップを一体に備える。これらのストリップは当該分野では「ウェザーストリップ」として知られ、湿気や埃などがタイル間を通過して屋根空間に達するのを防止する。オーストラリア特許第６７２２８６号では２つの形式の一体型ロック手段が開示されている。一実施形態では、各ウェザーストリップの下端部に一体型タブが設けられており、それぞれのタイルまたは屋根板の下部縁部を覆うように曲げられている。第２の実施形態では、各ウェザーストリップがほぼ中心に位置する直立フックを有し、このフックは、そのウェザーストリップの次に最上層列に来る屋根板またはタイルの下端部と係合するために上方に突出し、屋根板またはタイルが持ち上がるのを防止する。
【０００４】
英国特許出願第２１６０５５９号は、直立フック状部材を有するウェザーストリップを示し、該フックは、そのウェザーストリップの次に最上層に来る屋根板またはタイル列中の屋根板またはタイルの下端部と係合する。英国特許出願第２１６０５５９号の仕組みはオーストラリア特許第６７２２８６号で開示された仕組みと実質的に同一である。
ドイツ特許第８００７８４号は、上部押縁と下部押縁の間に伸長するウェザーストリップを開示し、このウェザーストリップの下端部がタブを備えてそれぞれのタイルの下端部と係合するようになっている。
上記文献に示される仕組みでは、各種タブおよびフック型配列が設けられ、それぞれのタイルの下端を押さえ、たとえば強風状態などでタイルが上方に持ち上がるのを防ぐようになっている。  
しかし、実際には、たとえばオーストラリア特許第６７２２８６号で開示された方式を使用した据え付けでは耐候性が低く、湾曲部、すなわちタイルの下端部を覆うように伸びた部分で腐食に関する問題があった。
タイル、特に平型タイルや屋根板を固定する保持方式において腐食の問題のない代替方式が提供できれば有益である。
【特許文献１】オーストラリア特許第６７２２８６号
【特許文献２】英国特許出願第２１６０５５９号
【特許文献３】ドイツ特許第８００７８４号
【発明の開示】
【０００５】
従って、一形式では、これが唯一の形式または最も広義な形式ではないかもしれないが、本発明は、屋根タイルを支持し、隣接する屋根押縁の間に伸長し、該押縁によって支持されるのに適したウェザーストリップに属すると言える。各ウェザーストリップは、使用時にその下端部分が隣接する下側の押縁を越えて突出する程度の長さを有し、各タイルはその対向するへり部に沿って隣接するウェザーストリップにより支持される。すなわち、前記ストリップの各々の上面が、縁部同士が接する位置関係で隣接するタイルの隣接するへり縁部と接触して支持する。ウェザーストリップは、押さえた際にタイルが持ち上がるのを防止するのに適したタイル保持手段を含み、保持手段は、ウェザーストリップに取り付けられ、使用時にタイルの下端と係合するのに適したフック状部を備えた少なくとも１つの脚部を有するワイヤクリップを備える。
好ましくは、ワイヤクリップのワイヤは弾力ワイヤから作られる。ワイヤはステンレス鋼ワイヤであるのが好ましい。
【０００６】
一形式において、保持手段は、使用時にほぼ平行になる脚部を有する実質的にＵ字形のワイヤ体を備えていてもよく、耳部が各脚部から横方向に伸長し、各耳部は使用時にウェザーストリップの側面フランジ内の開口にはまるようになっており、各脚部はフック状部分で終わっている。製造時、脚部が一点から八の字状に分岐したものでもよいが、その場合脚部は弾力を有し、使用時に各耳部がそれぞれの開口に保持されるようにする。
ウェザーストリップは、使用時に隣接するタイルのそれぞれの側面下を密封する少なくとも２片の縦長シーリング材手段を有していてもよい。また、ウェザーストリップがより幅広な中央縦長のシーリング片を有していてもよい。その場合、隣接するタイルの側面縁部をより幅広な中央縦長のシーリング片の上に載置するようにする。
さらに、ウェザーストリップはその上面に形成された縦長溝を備え、ウェザーストリップから水を流し出すようにしてもよい。その場合、縦長溝が２片の縦長シーリング材とより幅広な中央縦長のシーリング片との間にあってもよい。
【０００７】
ウェザーストリップ１０が木製押縁と共に使用される場合は、下側の屋根押縁５０の位置にウェザーストリップ１０の側面タブ（図示せず）を設け、ウェザーストリップ１０を釘やねじによって前記木製の下側の屋根押縁５０に固定できるようにすると共に、上端タブ１６も設けて隣接する上側の押縁に釘で打ち付けるようにしてもよい。
また、ウェザーストリップ１０が金属製押縁と共に使用される場合には、ウェザーストリップ１０に係合手段を設けて下側の屋根押縁５０と係合するようにしてもよい。ここで係合手段は、ウェザーストリップ１０の裏面近くにあり、ウェザーストリップ１０の下側の端付近で下側方向に開口している凹部２６を有する案内スロット５６を備え、下側の屋根押縁５０の上面フランジ５２が前記案内スロット５６に入るようにする。その場合、隣接する上側の屋根押縁に下部フランジを設けウェザーストリップの上端を該下部フランジの上に載置するようにしてもよい。
また、ウェザーストリップ１０が下方従属タブをその上端に備え、使用時にそのタブが隣接する上側の屋根押縁５０の底面フランジ５３の波形部分にはまるようにしてもよい。
さらに、ウェザーストリップが下方従属側面フランジを備えていてもよい。その場合、積み重ねのため側面フランジはわずかに外側に角度がつけられている。
屋根タイル５４の下部縁部がタイル保持クリップ３０のフック状部分４２のＵ字形内に入り、そのＵ字形の端部が弾力的に屋根タイル５４の上面に押さえつけられるようにすることにより、フック状部分４２が厚みの異なるタイルを受けて保持するようになっていてもよい。
次に本発明を総括的に説明するが、理解の手助けとして、本発明の好適実施形態を示す添付図面を参照する。
【発明を実施するための最良の形態】
【０００８】
以下の説明および請求項で使用される「上（側）」および「下（側）」という用語は、傾斜した屋根で使用する際のウェザーストリップおよびクリップの位置に関連している。
図１をより詳細に見ると、ウェザーストリップ１０は、概して上面１２、側面フランジ１４、およびウェザーストリップの端部にあって使用時には屋根上で最上部になる上端タブ１６を備えているのが分かる。上面１２上には一対の溝１８と周辺シーリング片２０とがあり、該周辺シーリング片１８はウェザーストリップ１０の両側で上方に伸び頂上部では湾曲しアーチ状バンド２２を形成している。また、側面の周辺シーリング片２０より幅の広い中央幅広シーリング片２４も存在する。２片の縦長のシーリング材２０，２４は、使用時に隣接するタイルのそれぞれの側面の下を密封するようになっている。隣接するタイルの側端面は、より幅広な中央幅広シーリング片２４の上に載置されてもよい。
【０００９】
ウェザーストリップ１０の各側面上の側面フランジ１４は、ウェザーストリップ１０の下側端部の手前で終わっており、側面フランジ１４が終わるところにウェザーストリップ１０の下側端部へ向かって開口する凹部２６がある。図４にてより詳細に説明するように、該凹部２６は使用時に前記下側の押縁である屋根押縁５０の上面フランジ５２と係合する。
ウェザーストリップ１０の最も下側に取り付けられるのがタイル保持クリップ３０である。タイル保持クリップ３０は図５および図６に詳細に示される。タイル保持クリップ３０はほぼＵ字形であり、上端部３２および脚部３４、３６と、その間に耳部３８とを有する。タイル保持クリップ３０をウェザーストリップ１０内に取り付け適所に保持すると、両側の耳部３８がウェザーストリップの側面フランジ１４内にある開口４０にはまる。図５および図６に示されるように、脚部３４および３６は一点から八の字状に分岐しているが、タイル保持クリップ３０が弾性ワイヤから製造されるので、脚部３４，３６を一緒に動かすことができて耳部３８を開口４０内に挿入することが可能になり、その段階で脚部３４，３６は互いにほぼ平行になり、ワイヤの弾性によって耳部３８は開口４０に保持される。
脚部３４および３６の各々はフック状部分４２で終わっており、フック状部分４２は保持クリップ３０の主平面に対して直角に立ち上がる。
【００１０】
図４の組立体図を見ると、前記下側の押縁である屋根押縁５０はＺ字形であり、反対方向に伸びる上面フランジ５２と底面フランジ５３とを備える。底面フランジ５３は長手方向に波形になっている。上面フランジ５２の端部はウェザーストリップ１０の側面フランジ１４の下側方向端部にある凹部２６に入れられる。屋根タイル５４はウェザーストリップ１０上に置かれてシーリング片２２、２４と係合し、屋根タイル５４の側端面に沿ってシーリングを施す。保持クリップ３０のフック状部分４２は屋根タイル５４を覆うように伸び、屋根タイル５４の上面と係合して屋根タイル５４の動きを防止する。相当に厚い屋根タイル５４が使用される場合には保持クリップ３０のフック状部分４２が異なる大きさとなることもあろうが、このフック状部分４２は十分弾力があるので、異なる厚みの屋根タイル５４であっても受けることができる。屋根タイル５４が３〜１２ｍｍの範囲にあるとすれば、３〜７ｍｍの屋根タイル５４を受けることができるフック状部分４２の開口を有するタイル保持クリップ３０と、８〜１２ｍｍの屋根タイル５４を受けることができる開口を備えるものとがあってもよい。
タイル保持クリップ３０を交換するために、都合の良いことには、案内スロット５６がＺ字形の屋根押縁５０の上部フランジ５２とウェザーストリップ１０の底面との間に形成され、新しいタイル保持クリップ３０を押し込み耳部３８を開口４０にはめ込むのが直線的で簡単なことが分かる。屋根押縁５０が木材である場合でも案内スロット５６があり、該スロットを介してタイル保持クリップ３０が送り込まれ、耳部３８をウェザーストリップ１０の側面フランジ１４にある開口４０にはめ込むのを可能にする。
【００１１】
本発明は従来技術に対して多くの利点を有する。前述の通り、従来技術では、タイルを保持するためのタブがウェザーストリップ上にウェザーストリップの一部として形成されることが記載されている。ウェザーストリップおよびタブは軟鋼から構成されるため、十分な強度を有するためにタブはそれ相応の幅を有する必要がある。
本発明の弾性保持クリップに特有の利点の１つは、各脚部のフック状部分４２を一緒に動かし耳部３８をウェザーストリップの側面内にある開口４０から外すことによってウェザーストリップ全体を取り外すことなく保持クリップを取り外すことができ、保持クリップを完全に取り外すことができることでタイルの取り外しが可能になる点にある。
【００１２】
ワイヤクリップは腐食環境から離れた位置でウェザーストリップに固定されるため、結露することなく外側に伸びてタイルの端部に達する。
ワイヤの形状は容易に変更することができるので、別のウェザーストリップを製造する必要なく各種形状のタイルを保持でき、節約の実現に寄与する。
タイル１つだけを除去する場合、隣接するウェザーストリップの上のフック状部分４２それぞれを動かし切り離してタイルを外すことができる。
ワイヤクリップがそれほど目立たないのに対し、たとえタイルと調和させるために塗装やコーティングを施すとしてもウェザーストリップに取り付けられたタブは比較的目につきやすい。従って、異なる色のタイルを使用する場合にはウェザーストリップも交換しなければならなくなる。しかしワイヤクリップを用いればウェザーストリップの交換は必要ない。さらに、タイル交換が必要な場合、タイルを取り除くために曲げたりタイルを再び固定するために再度曲げたりすると、タブ上の塗装またはコーティングに亀裂が入る可能性がある。
さらにまた、屋根に降雪を伴う気候では、雪が屋根を滑り落ちる際にタブが曲がってタイルが外れる可能性がある。ワイヤクリップを用いれば、滑走する雪にあたる面積が小さく、ステンレス鋼ワイヤクリップの強度を考えても、ワイヤクリップが曲がることはない。
【００１３】
タイル保持クリップ３０を交換するために、都合の良いことには、案内スロット５６がＺ字形の屋根押縁５０の上面フランジ５２とウェザーストリップ１０の底面との間に形成されているので、新しいタイル保持クリップ３０を押し込み耳部３８を開口４０にはめ込むのが比較的簡単なことが分かる。
屋根押縁５０が木材である場合でも、案内スロット５６があり、該案内スロット５６を介してタイル保持クリップ３０が送り込まれ、耳部３８をウェザーストリップ１０の側面フランジ１４にある開口４０にはめ込むのを可能にする。
タイル保持クリップ３０は好ましくはステンレス鋼から作られるため、大気中でも腐食せずタイルに筋目が入ることもない。また、ワイヤは比較的径が小さく屋根上でそれほどはっきりと目につくことはなく、より均一な屋根構造に見える。さらに、タイル保持クリップ３０は幅広タブほどには湿気や埃をためることもない。
【００１４】
本明細書を通して本発明の範囲に関する各種例を示したが、本発明はこれらのうちの任意の１つに限定されるものではなく、これらのうちの２つ以上を組み合わせたものに属していてもよい。これらの例は説明のために示され、それに限定されるものではない。
本明細書および付随する請求項を通して、文脈から別の解釈が必要な場合を除き、「備える」という用語ならびに「備えること」などの変化表現は、記載された完全体および完全体の一群を備えることを含意するが、任意の他の完全体または完全体の一群を除外するものではないことは了解されよう。
【図面の簡単な説明】
【００１５】
【図１】本発明に係わるウェザーストリップの一実施形態の斜視図を示す。
【図２】図１で示される実施形態の平面図を示す。
【図３】図１で示される実施形態の立面図を示す。
【図４】屋根押縁の一実施形態に設置されウェザーストリップ上に取り付けられたタイルを含む場合の本発明のウェザーストリップの一部分の横断面図を示す。
【図５】本発明のウェザーストリップに有用な保持クリップの一実施形態の平面図を示す。
【図６】保持クリップの斜視図を示す。
【符号の説明】
【００１６】
１０  ウェザーストリップ    １２  上面          １４  側面フランジ
１６  上端タブ              １８  一対の溝      ２０  周辺シーリング片
２２  アーチ状バンド        ２４  中央幅広シーリンング片
２６  凹部                  ３０  タイル保持クリップ
３４、３６  脚部            ３８  耳部          ４０  開口
４２  フック状部分          ５０  屋根押縁      ５２  上面フランジ          ５３  底面フランジ
【図１】
0004330441.tif 000002
【図２】
0004330441.tif 000003
【図３】
0004330441.tif 000004
【図４】
0004330441.tif 000005
【図５】
0004330441.tif 000006
【図６】
0004330441.tif 000007